(57)【要約】【解決手段】連絡先リストと事前入力されたユーザアカウントとを作成するためのシステムおよび方法が開示される。第１のユーザに関連づけられた既存の連絡先リストがコンピュータシステムでインポートされる。ソーシャルネットワークサービスに関連づけられたユーザアカウントのための第２の連絡先リストが、第１のユーザのために作成され、第２の連絡先リストは、既存の連絡先リストからのメンバーを備える。ソーシャルネットワークサービスによるユーザアカウントをすでに有する既存の連絡先リストのメンバーが第１のカテゴリにフィルタリングされる。ソーシャルネットワークサービスによるユーザアカウントを有しない既存の連絡先リストのメンバーが第２のカテゴリにフィルタリングされる。ソーシャルネットワークサービスに関連づけられた事前入力されたユーザアカウントが、第２のカテゴリにおけるメンバーのために作成される。【選択図】図２
2016532964.tif 000002
【特許請求の範囲】
【請求項１】
連絡先リストと事前入力されたユーザアカウントとを作成するための方法であって、
コンピュータシステムで、第１のユーザに関連づけられた既存の連絡先リストをインポートするステップと、
前記コンピュータシステムで、前記第１のユーザのために、ソーシャルネットワークサービスに関連づけられたユーザアカウントのための第２の連絡先リストを作成するステップとを備え、前記第２の連絡先リストは、前記既存の連絡先リストからのメンバーを備え、さらに、
前記コンピュータシステムで、前記ソーシャルネットワークサービスによるユーザアカウントをすでに有する前記既存の連絡先リストのメンバーを第１のカテゴリにフィルタリングするステップと、
前記コンピュータシステムで、前記ソーシャルネットワークサービスによるユーザアカウントを有しない前記既存の連絡先リストのメンバーを第２のカテゴリにフィルタリングするステップと、
前記コンピュータシステムで、前記第２のカテゴリにおける前記メンバーのために、前記ソーシャルネットワークサービスに関連づけられた事前入力されたユーザアカウントを作成するステップと
を備える、方法。
【請求項２】
デバイスで、前記ソーシャルネットワークサービスに関連づけられたインターフェースを介し、前記第１のカテゴリと前記第２のカテゴリとにおける前記メンバーを区別することなく、前記第１のユーザに前記第２の連絡先リストを表示するステップをさらに備える、請求項１に記載の方法。
【請求項３】
前記第２のカテゴリのメンバーである第２のユーザに最初の通信を送信する要求を前記第１のユーザから受信するステップと、
前記最初の通信を前記第２のユーザのための事前入力されたユーザアカウントに関連づけるステップと、
前記第２のユーザに交互通信を送信するステップとをさらに備え、前記交互通信は、前記最初の通信へのリンクを備える、請求項１に記載の方法。
【請求項４】
前記最初の通信への前記リンクが選択されると、前記リンクは、前記ソーシャルネットワークサービスに関連づけられたインターフェースと通信手段とを介して前記第２のユーザに前記通信を受け渡す、請求項３に記載の方法。
【請求項５】
前記第２のユーザによって生成された応答が、前記第２のユーザのための前記事前入力されたユーザアカウントに関連づけられ、前記ソーシャルネットワークサービスを介して前記第１のユーザに送信される、請求項３に記載の方法。
【請求項６】
前記交互通信は電子メールである、請求項３に記載の方法。
【請求項７】
前記交互通信はテキストメッセージである、請求項３に記載の方法。
【請求項８】
前記最初の通信は、テキストメッセージ、音声メッセージ、インスタントメッセージ通信、ビデオメッセージ、ギフト、動画、およびビデオチャットからなる通信のグループから選択される、請求項３に記載の方法。
【請求項９】
前記リンクにアクセスするための第１のブラウザが、前記第２のユーザのための前記事前入力されたユーザアカウントに関連づけられ、前記第１のブラウザのみが、セキュリティ目的のために前記第２のユーザに関連する引き続く通信にアクセスすることを可能にされる、請求項３に記載の方法。
【請求項１０】
前記第２の連絡先リストは、前記既存の連絡先リストからのすべてのメンバーを備える、請求項１に記載の方法。
【請求項１１】
前記第２の連絡先リストは、前記第１のカテゴリのメンバーと、前記ソーシャルネットワークサービスにすでに関連づけられている２人以上のユーザに関連づけられた前記第２のカテゴリのメンバーとを備える、請求項１に記載の方法。
【請求項１２】
前記第２の連絡先リストは、前記第１のユーザが所定の数のＳＭＳメッセージを送信した前記第２のカテゴリのメンバーを備える、請求項１に記載の方法。
【請求項１３】
前記第２の連絡先リストは、前記第１のカテゴリのメンバーと、前記第２の連絡先リストのための最大連絡先数に制限された前記第２のカテゴリのメンバーとを備える、請求項１に記載の方法。
【請求項１４】
組み入れられた命令を有するコンピュータ使用可能な記憶媒体であって、前記命令は、実行された場合、コンピュータシステムに連絡先リストと事前入力されたユーザアカウントとを作成するための方法を実行させ、前記方法は、
コンピュータシステムで、第１のユーザに関連づけられた既存の連絡先リストをインポートするステップと、
前記コンピュータシステムで、前記第１のユーザのために、ソーシャルネットワークサービスに関連づけられたユーザアカウントのための第２の連絡先リストを作成するステップとを備え、前記第２の連絡先リストは、前記既存の連絡先リストからのメンバーを備え、さらに、
前記コンピュータシステムで、前記ソーシャルネットワークサービスによるユーザアカウントをすでに有する前記既存の連絡先リストのメンバーを第１のカテゴリにフィルタリングするステップと、
前記コンピュータシステムで、前記ソーシャルネットワークサービスによるユーザアカウントを有しない前記既存の連絡先リストのメンバーを第２のカテゴリにフィルタリングするステップと、
前記コンピュータシステムで、前記第２のカテゴリにおける前記メンバーのために、前記ソーシャルネットワークサービスに関連づけられた事前入力されたユーザアカウントを作成するステップと
を備える、コンピュータ使用可能な記憶媒体。
【請求項１５】
デバイスで、前記ソーシャルネットワークサービスに関連づけられたインターフェースを介し、前記第１のカテゴリと前記第２のカテゴリとにおける前記メンバーを区別することなく、前記第１のユーザに前記第２の連絡先リストを表示するステップをさらに備える、請求項１４に記載のコンピュータ使用可能な記憶媒体。
【請求項１６】
前記第２のカテゴリのメンバーである第２のユーザに最初の通信を送信する要求を前記第１のユーザから受信するステップと、
前記最初の通信を前記第２のユーザのための事前入力されたユーザアカウントに関連づけるステップと、
前記第２のユーザに交互通信を送信するステップとをさらに備え、前記交互通信は、前記最初の通信へのリンクを備える、請求項１４に記載のコンピュータ使用可能な記憶媒体。
【請求項１７】
前記最初の通信への前記リンクが選択されると、前記リンクは、前記ソーシャルネットワークサービスに関連づけられたインターフェースと通信手段とを介して前記第２のユーザに前記通信を受け渡す、請求項１６に記載のコンピュータ使用可能な記憶媒体。
【請求項１８】
前記第２のユーザによって生成された応答が、前記第２のユーザのための前記事前入力されたユーザアカウントに関連づけられ、前記ソーシャルネットワークサービスを介して前記第１のユーザに送信される、請求項１６に記載のコンピュータ使用可能な記憶媒体。
【請求項１９】
前記交互通信は電子メールである、請求項１６に記載のコンピュータ使用可能な記憶媒体。
【請求項２０】
前記交互通信はテキストメッセージである、請求項１６に記載のコンピュータ使用可能な記憶媒体。
【請求項２１】
前記最初の通信は、テキストメッセージ、音声メッセージ、インスタントメッセージ通信、ビデオメッセージ、ギフト、動画、およびビデオチャットからなる通信のグループから選択される、請求項１６に記載のコンピュータ使用可能な記憶媒体。
【請求項２２】
前記リンクにアクセスするための第１のブラウザが、前記第２のユーザのための前記事前入力されたユーザアカウントに関連づけられ、前記第１のブラウザのみが、セキュリティ目的のために前記第２のユーザに関連する引き続く通信にアクセスすることを可能にされる、請求項１６に記載のコンピュータ使用可能な記憶媒体。
【請求項２３】
前記第２の連絡先リストは、前記既存の連絡先リストからのすべてのメンバーを備える、請求項１４に記載のコンピュータ使用可能な記憶媒体。
【請求項２４】
前記第２の連絡先リストは、前記第１のカテゴリのメンバーと、前記ソーシャルネットワークサービスにすでに関連づけられている２人以上のユーザに関連づけられた前記第２のカテゴリのメンバーとを備える、請求項１４に記載のコンピュータ使用可能な記憶媒体。
【請求項２５】
前記第２の連絡先リストは、前記第１のユーザが所定の数のＳＭＳメッセージを送信した前記第２のカテゴリのメンバーを備える、請求項１４に記載のコンピュータ使用可能な記憶媒体。
【請求項２６】
前記第２の連絡先リストは、前記第１のカテゴリのメンバーと、前記第２の連絡先リストのための最大連絡先数に制限された前記第２のカテゴリのメンバーとを備える、請求項１４に記載のコンピュータ使用可能な記憶媒体。
【請求項２７】
連絡先リストと事前入力されたユーザアカウントとを作成するための方法であって、
コンピュータシステムで、第１のユーザに関連づけられた既存の連絡先リストをインポートするステップと、
前記コンピュータシステムで、ソーシャルネットワークサービスによるユーザアカウントを有しない前記既存の連絡先リストのメンバーのために、前記ソーシャルネットワークサービスに関連づけられた事前入力されたユーザアカウントを作成するステップと、
前記コンピュータシステムで、前記第１のユーザのために、前記ソーシャルネットワークサービスに関連づけられたユーザアカウントのための第２の連絡先リストを作成するステップとを備え、前記第２の連絡先リストは、前記既存の連絡先リストからのメンバーを備え、前記第２の連絡先リストは、前記ソーシャルネットワークサービスに関連づけられたユーザアカウントをすでに有するメンバーと事前入力されたユーザアカウントが作成されたメンバーとを区別することなく、前記第１のユーザに表示され、さらに、
前記第２の連絡先リストのメンバーである第２のユーザに最初の通信を送信する要求を前記第１のユーザから受信するステップと、
前記最初の通信を前記第２のユーザのための事前入力されたユーザアカウントに関連づけるステップと、
前記第２のユーザに交互通信を送信するステップとを備え、前記交互通信は、前記最初の通信へのリンクを備える、方法。
【発明の詳細な説明】
【技術分野】
【０００１】
関連出願の相互参照
本願は、２０１３年８月１４日に出願され、その全内容が引用によって本明細書に組み込まれる、米国特許出願第１３／９６７，１７０号の優先権を主張し、その恩典を主張する。
【背景技術】
【０００２】
現代のテクノロジーは、２つのデバイス間で通信するためのさまざまな方法および技術を可能にする。通信は、ネットワークにわたって行われ得る。ソーシャルネットワークサービスが、２人のユーザ間の通信のために使用され得る。ほとんどのソーシャルネットワークサービスは各々のユーザに、ソーシャルネットワークサービスを使用するためにソーシャルネットワークサービスに関連づけられたユーザアカウントを作成することを要求する。
【発明の概要】
【０００３】
連絡先リストと事前入力された（pre-populated）ユーザアカウントとを作成するためのシステムおよび方法が開示される。第１のユーザに関連づけられた既存の連絡先リストがコンピュータシステムでインポートされる。ソーシャルネットワークサービスに関連づけられたユーザアカウントのための第２の連絡先リストが、第１のユーザのために作成され、第２の連絡先リストは、既存の連絡先リストからのメンバーを備える。ソーシャルネットワークサービスによるユーザアカウントをすでに有する既存の連絡先リストのメンバーが第１のカテゴリにフィルタリングされる。ソーシャルネットワークサービスによるユーザアカウントを有しない既存の連絡先リストのメンバーが第２のカテゴリにフィルタリングされる。ソーシャルネットワークサービスに関連づけられた事前入力されたユーザアカウントが、第２のカテゴリにおけるメンバーのために作成される。
【図面の簡単な説明】
【０００４】
【図１】図１は、本テクノロジーの実施形態に係る、連絡先リストと事前入力されたユーザアカウントとを作成するための例示的な環境のブロック図である。
【０００５】
【図２】図２は、本テクノロジーの実施形態に係る、連絡先リストと事前入力されたユーザアカウントとを作成するための例示的な方法のフローチャートである。
【０００６】
【図３】図３は、本テクノロジーの実施形態に係る、事前入力されたユーザアカウントを使用して通信を送信するための例示的な方法のフローチャートである。
【０００７】
【図４】図４は、本テクノロジーの実施形態に係る、連絡先リストと事前入力されたユーザアカウントとを作成し、事前入力されたユーザアカウントを使用して通信を送信するための例示的な方法のフローチャートである。
【０００８】
この説明において参照される図面は、特に注意される場合を除き、正確な縮尺率で描かれていないものとして理解されるべきである。
【発明を実施するための形態】
【０００９】
ここでは本テクノロジーの実施形態が詳細に参照され、その例が添付図面に示される。テクノロジーはさまざまな実施形態（単数または複数）に関連して説明されるが、それらが本テクノロジーをこれらの実施形態に限定するように意図されたものではないことが理解されるであろう。対照的に、本テクノロジーは、代替例、変更、および均等物をカバーするように意図され、それらは、添付の請求項によって定義されるさまざまな実施形態の精神および範囲内に含まれ得る。
【００１０】
さらに、実施形態の以下の説明では、多数の特定の詳細が本テクノロジーの完全な理解を提供するために説明される。しかしながら、本テクノロジーは、これらの特定の詳細なしに実現され得る。他の例では、周知の方法、手順、コンポーネント、および回路は、本実施形態の態様を不必要に曖昧にせぬよう詳細には説明されない。
【００１１】
以下の議論から明らかであるように、特に別段の規定がない限り、実施形態の本説明全体を通して、「インポートすること」、「作成すること」、「フィルタリングすること」、「送信すること」、「表示すること」、「受信すること」、「関連づけること」、「表示すること」、等といった用語を利用する議論は、コンピュータシステムまたは同様の電子コンピューティングデバイスのアクションおよび処理に言及するものと理解される。コンピュータシステム、または同様の電子コンピューティングデバイス、たとえば、電話、スマートフォン、またはハンドヘルドモバイルデバイスは、コンピュータシステムのレジスタおよびメモリ内で物理（電子）量として表現されたデータを操作して、コンピュータシステムのメモリまたはレジスタまたは他のそのような情報ストレージ、トランスミッション、またはディスプレイデバイス内で物理量として同様に表現される他のデータへと変形する。本テクノロジーの実施形態はまた、他のコンピュータシステム、たとえば、光コンピュータおよび機械式コンピュータの使用にもよく適している。
【００１２】
［連絡先リストおよび事前入力されたユーザアカウントの作成の概要］
本テクノロジーの実施形態は、ソーシャルネットワークサービスによる使用のための連絡先リストと事前入力されたユーザアカウントとを作成するためのものである。ソーシャルネットワークサービスは、通信が２人以上のユーザ間で送信されることを可能にし得る。たとえば、ユーザは各々、通信の送信および受信に使用するための、コンピュータ、ラップトップ、タブレット、スマートフォン、ハンドヘルドデバイス、等といった関連づけられたデバイスを有し得る。ソーシャルネットワークサービスは、ユーザが、テキストメッセージ、インスタントメッセージ、画像、ビデオ、音声通話または会議、ビデオ通話または会議、動画、またはそれらの組み合わせといった通信を互いに送信し合うための方法、技術、およびサービスを提供し得る。複数のユーザ間の一連のまたは一続きの通信は、スレッド化された会話と呼ばれ得、複数の通信形態を用い得る。
【００１３】
典型的なソーシャルネットワークサービスはユーザに、ユーザアカウントだけでなく、ソーシャルネットワークサービス上の他のユーザの名前またはユーザ名を備える連絡先リストまたはアドレス帳の形態の連絡先を確立することを要求し得る。ソーシャルネットワークサービスはまた、通信が送信および受信され得る前にソフトウェアまたはアプリがユーザのデバイスにダウンロードおよびインストールされることを要求し得る。この制限はしばしば、新たなユーザがソーシャルネットワーキングサービスに参加する妨げとなる。したがって、本テクノロジーは、新たなユーザがソーシャルネットワークサービスのための連絡先リストとともに新たなユーザアカウントを作成するのを支援し、新たなユーザの友人および連絡先がユーザアカウントを未だ有していない場合に彼らが新たなユーザアカウントを確立するのも支援するソリューションを提供する。一実施形態において、ソーシャルネットワークサービスはタンゴである。
【００１４】
一実施形態では、コンピュータシステム、たとえば、サーバが、新たなユーザアカウントを作成した新たなユーザを識別するソーシャルネットワークサービスに関連づけられる。コンピュータシステムが続いて、新たなユーザに関連づけられた既存の連絡先リストをインポートする。コンピュータシステムは続いて、既存の連絡先リストをフィルタリングして、既存の連絡先リスト上のメンバーの２つのカテゴリを作成する。第１のカテゴリは、ソーシャルネットワークサービスにすでに関連づけられている既存の連絡先リストのメンバーを備える。たとえば、メンバーは、ソーシャルネットワークサービスによるユーザ名をすでに有し得る。第２のカテゴリは、ソーシャルネットワークサービスに現在関連づけられていない既存の連絡先リストのメンバーを備える。コンピュータシステムは続いて、第２のカテゴリにおけるメンバーの一部または全部のための事前入力されたユーザアカウントを作成する。
【００１５】
第２の連絡先リストが、既存の連絡先リストに基づいて新たなユーザのために作成される。第２の連絡先リストは、新たなユーザがソーシャルネットワークサービスにわたって通信するために用いるであろう連絡先リストまたはアドレス帳である。第２の連絡先リストは、第１のカテゴリのメンバーのすべて、および第２のカテゴリのメンバーの一部または全部を備え得る。第２の連絡先リストは、新たなユーザがデバイス上でインターフェースを介しソーシャルネットワークサービスにアクセスし得るよう、新たなユーザに関連づけられる。第２の連絡先リストが、新たなユーザに関連づけられたデバイスに送信されるかまたはデバイスによってダウンロードされ得る。一実施形態では、第２の連絡先リストは、区別が第１および第２のカテゴリにおける連絡先リストのメンバー間でなされないように、新たなユーザに表示される。かくして、新たなユーザは、ソーシャルネットワークサービスを介して第１または第２のカテゴリからのメンバーに通信を送信し得る。
【００１６】
［事前入力されたユーザアカウントを使用した通信の送信の概要］
本テクノロジーの実施形態はまた、事前入力されたユーザアカウントを使用してソーシャルネットワークサービスにわたり通信を送信するためのものである。本テクノロジーは、第１のユーザが、ソーシャルネットワークサービスに関連づけられたユーザアカウントを作成し、ソーシャルネットワークサービスに関連づけられていない第２のユーザにソーシャルネットワークサービスを介し通信を送信することを可能にする。一実施形態では、ソーシャルネットワークサービスが、第２のユーザのための事前入力されたユーザアカウントを作成する。第２のユーザは、ソーシャルネットワークサービスのプレメンバーと呼ばれ得る。事前入力されたユーザアカウントが続いて、第２のユーザに通信を送信するために使用される。
【００１７】
一実施形態では、第２のユーザがまず、第２のユーザにソーシャルネットワークサービスに関連づけられたインターフェースへのリンクを提供する交互（alternate）通信を送信され、ソーシャルネットワークサービスに関連づけられたインターフェースが続いて、第１のユーザからの通信を第２のユーザに受け渡すであろう。たとえば、交互通信は、ショートメッセージサービス（ＳＭＳ）メッセージまたは電子メールであり得る。ＳＭＳメッセージまたは電子メールは、第２のユーザによって選択またはクリックされると、ソーシャルネットワークサービスに関連づけられたインターフェースを開き、通信を受け渡すであろう、ユニフォームリソースロケータのリンクを備え得る。
【００１８】
一実施形態では、第２のユーザがリンクを選択して通信を受信すると、第２のユーザが続いて、ソーシャルネットワークサービスに参加するよう招待され得る。招待が承認されると、続いて、第２のユーザに関連づけられた事前入力されたユーザアカウントが、完全なユーザアカウントになる。一実施形態では、第２のユーザに関連づけられた事前入力されたユーザアカウントは、第２のユーザがリンクを選択すると、シームレスにかつ自動で、完全なユーザアカウントになる。
かくして、本テクノロジーは、シームレスかつユーザフレンドリーな手法による第１のソーシャルネットワークサービスから第２のソーシャルネットワークサービスへの使用の移行のために用いられ得る。
【００１９】
第２のユーザは通信に対し、引き続く（subsequent）通信によって応答し得る。引き続く通信は、第２のユーザにより、第２のユーザに関連づけられたデバイスとソーシャルネットワークサービスに関連づけられたインターフェースとを介して生成され、送信され得る。第１のユーザが続いて、ソーシャルネットワークサービスを介し引き続く通信を受信し得る。引き続く通信はまた、第２のユーザにより、ＳＭＳメッセージングまたは電子メールといった、交互通信のために使用される方法を介して送信され得る。
【００２０】
一実施形態では、セキュリティ技術が、第２のユーザが事前入力されたユーザアカウントの使用または事前入力されたユーザアカウントへのアクセスを許可された唯一のユーザであることを保証するために用いられる。１つのそのような措置は、ブラウザの一意の特性をフィンガープリントすることによって達成され得る。たとえば、第２のユーザがリンクを選択すると、第２のユーザのデバイスに関連づけられた第１のブラウザが、ＵＲＬをナビゲートし、通信を開くために用いられる。ソーシャルネットワークサービスに関連づけられたコンピュータシステムが続いて、第１のブラウザの一意の特性を記録し、第２のユーザの事前入力されたユーザアカウントに関連づけられたリンクまたは任意の引き続く通信に再度アクセスすることを第１のブラウザにのみ可能にさせる。あるいはこれは、サーバに引き続く認証のためにブラウザに「ｃｏｏｋｉｅ」を付与させることによって、達成され得る。連絡先リストおよび事前入力されたユーザアカウントの作成についての実施形態が事前入力されたユーザアカウントを使用した通信の送信の実施形態と組み合わせられ得ることが理解されるべきである。
【００２１】
［連絡先リストと事前入力されたユーザアカウントとを作成し、事前入力されたユーザアカウントを使用して通信を送信するための方法およびシステム］
図１は、デバイス１０２、コンピュータシステム１１４、およびデバイス１２０を備える環境１００を描く。コンピュータシステム１１４は、サーバコンピュータシステムであり得、ソーシャルネットワークサービスによって制御される。コンピュータシステム１１４はまた、サーバファーム、クラウドコンピューティングリソース、ピアツーピアネットワーク、等といった２つ以上のコンピュータのことを言い得る。コンピュータシステム１１４は、通信を１つのユーザデバイスから受信して別のユーザデバイスに転送することができる。通信は、ユーザアカウントまたは事前入力されたユーザアカウントに関連づけられ得る。
【００２２】
デバイス１０２および１２０は各々、１人以上のユーザに関連づけられ、通信の送信および受信に使用するためのコンピュータ、ラップトップ、タブレット、スマートフォン、ハンドヘルドデバイス、等であり得る。デバイスは、以下、すなわち、画面またはディスプレイ、スピーカー、マイクロフォン、タッチスクリーン、キーボード、マウス、デジタルカメラ、または他の入力および出力コンポーネントのうちの１つ以上を有し得る。デバイスは、テキストメッセージ、音声メッセージ、インスタントメッセージ通信、ビデオメッセージ、ギフト、動画、およびビデオチャットといった通信を生成することができる。
【００２３】
デバイス１０２は、既存の連絡先リスト１１２のコピーを有するか、または既存の連絡先リスト１１２へのアクセスを有する。
既存の連絡先リスト１１２は、電子メールサービスまたはインスタントメッセージングサービスなどの異なるソーシャルネットワークサービスに関連づけられ得る。一実施形態において、既存の連絡先リストは、ｉＯＳデバイスまたはアンドロイドデバイスなどのスマートフォンに関連づけられたアドレス帳である。既存の連絡先リストは、以下、すなわち、名前、ユーザ名、電話番号、物理アドレス、電子メールアドレス、および人々の他の識別情報の一部または全部を備え得る。
【００２４】
既存の連絡先リスト１１２が、第２の連絡先リスト１０６を作成するために、コンピュータシステム１１４および連絡先フィルタ１１６によってアクセスされ得る。連絡先フィルタ１１６は、既存の連絡先リスト１１２のメンバーをフィルタリングして、彼らがソーシャルネットワークサービスにすでに関連づけられているかどうかを決定することができる。フィルタリングは、名前、電話番号、電子メールアドレス、等といった識別情報を使用し、この情報をユーザアカウントデータベース１１８における情報と比較することによって実行され得る。連絡先フィルタ１１６はまた、既存の連絡先リスト１１２のメンバーがソーシャルネットワークサービスに関連づけられていないかどうか、またはメンバーが事前入力されたユーザアカウントをすでに有しているかどうかを決定することができる。
【００２５】
コンピュータシステム１１４は、ソーシャルネットワークサービスに関連づけられたメンバーとソーシャルネットワークサービスに関連づけられていないメンバーとの両方に基づいて既存の連絡先リスト１１２から、第２の連絡先リスト１０６を作成する。一実施形態において、第２の連絡先リスト１０６は、既存の連絡先リスト１１２のメンバーのすべてを備える。一実施形態において、第２の連絡先リスト１０６は、ソーシャルネットワークサービスに関連づけられた既存の連絡先リスト１１２からのメンバー（第１のカテゴリ）のすべてと、ソーシャルネットワークサービスに関連づけられていない既存の連絡先リスト１１２からのメンバー（第２のカテゴリ）のサブセットのみとを備える。第２のカテゴリのメンバーのサブセットは、ユーザが第２の連絡先リスト１０６の中に有することを許可された、事前入力されたユーザアカウントの最大連絡先数に基づき得る。
一実施形態において、第２のカテゴリのメンバーのサブセットは、潜在的な第２のカテゴリのメンバーがまた、ソーシャルネットワークサービスのすでに既存であるユーザの連絡先かどうか、を決定するために使用されるアルゴリズムに基づいて作成される。たとえば、アルゴリズムは、第２の連絡先リスト１０６の中に含まれようとする潜在的なユーザがまた、３人の他のユーザ、といったソーシャルネットワークの指定された数の他のユーザのための潜在的なユーザでなくてはならない、というルールを有し得る。第２のカテゴリのメンバーのサブセットを作成する目的は、ソーシャルネットワーキングサービスを最も転向しそうな人々または使用し始めそうな人々を示すことである、ということが理解されるべきである。一実施形態において、第２のカテゴリのメンバーのサブセットを作成するために使用されるルールは、「第１のユーザが誰に最も多くのＳＭＳメッセージを送信したか」、または第１のユーザから第２のユーザに送信された所定のＳＭＳメッセージ数、または何らかの他のヒューリスティックであり得る。
【００２６】
一実施形態において、事前入力されたユーザアカウントが、コンピュータシステム１１４により、第２の連絡先リスト１０６に含まれる第２のカテゴリのメンバーのために作成される。事前入力されたユーザアカウントは、既存の連絡先リスト１１２からの、または、すでにユーザアカウントデータベース１１８の中にあるデータからの、データを使用して、完全なユーザアカウントのために必要とされるデータのフィールドを事前入力する。事前入力されたユーザアカウントは、潜在的なユーザに可視であることも可視でないこともできる一時的なユーザ名を割り当てられ得る。受信側での逆引き連絡先参照が、事前入力されたユーザアカウントのための携帯電話番号を決定するために用いられ得る。電子メールアドレスもまた、事前入力されたユーザアカウントのために用いられ得る。一実施形態では、デバイス１０２のユーザが、事前入力されたユーザアカウントのための潜在的なメンバーについての情報を入力するよう促され得る。事前入力されたユーザアカウントは、ソーシャルネットワークサービスに関連づけられたアカウントが、第２のユーザなどのユーザのために、第２のユーザからの何の明示的な入力もなく作成されることを可能にする。一実施形態において、第２のカテゴリのメンバーのための事前入力されたアカウントの作成は、「要求駆動型」で、すなわち、第１のユーザが彼らと対話しようと決めた場合にのみ、生じる。この「要求駆動型」の作成は、過度のサーバ負荷を最小化するのに役立つ。
【００２７】
第２の連絡先リスト１０６が作成されると、それは、ユーザアカウントデータベース１１８に記憶され得る。第２の連絡先リスト１０６は、後に更新または変更され得る。第２の連絡先リスト１０６は、デバイス１０２によりインターフェース１０４を介しアクセスされ得る。デバイス１０２はまた、第２の連絡先リスト１０６のコピーをダウンロードし得る。ユーザは、２つ以上のデバイスから、第２の連絡先リスト１０６にアクセスするか、または第２の連絡先リストをダウンロードし得る。一実施形態において、インターフェース１０４は、デバイス１０２のユーザに第２の連絡先リスト１０６を表示する。この表示は、ソーシャルネットワークサービスによる完全なユーザアカウントを有する連絡先と事前入力されたユーザアカウントを有するだけの連絡先との間のいかなる差も示さないことができる。かくして、本テクノロジーは、デバイス１０２のユーザがソーシャルネットワークサービスを介して容易に第２のユーザに通信を送信できるよう、事前入力されたユーザアカウントを第２の連絡先リスト１０６にシームレスに追加する。一実施形態において、インターフェース１０４は、ソーシャルネットワークサービスに関連づけられ、ソーシャルネットワークサービスにわたってメッセージを生成し、送信し、受信するために使用される、グラフィカルユーザインターフェースである。
【００２８】
一実施形態では、最初の通信１０８が、デバイス１０２で生成され、コンピュータシステム１１４に送信されて、デバイス１２０へと中継されるが、デバイス１２０は、事前入力されたユーザアカウントが作成された第２のユーザに関連づけられる。最初の通信１０８は、ソーシャルネットワークサービスに典型的に関連づけられた任意のタイプの通信であり得る。コンピュータシステム１１４が続いて、最初の通信１０８を受信し、交互通信１２４を生成する。交互通信１２４は、デバイス１２０がブラウザまたは他の手段を介し最初の通信１０８にアクセスするためのＵＲＬを備えるリンク１２６を備える。一実施形態において、交互通信１２４は、ＳＭＳメッセージまたは電子メールであり、または、その両方が同一のＵＲＬとともに送信される。ＳＭＳメッセージまたは電子メールは、ソーシャルネットワークサービスに関連づけられていないインターフェース１２２を介してデバイス１２０上で表示される。たとえば、デバイス１２０がスマートフォンである場合には、インターフェース１２２は、スマートフォンで実行される電子メールアプリであり得る。第２のユーザがリンク１２６を選択またはクリックすると、続いて、ＵＲＬが、最初の通信１０８にアクセスするためのソーシャルネットワークサービスに関連づけられたインターフェース１２８を、デバイス１２０のブラウザに指示する。一実施形態において、インターフェース１２８は、スマートフォンにダウンロードされたアプリを介して使用され得るソーシャルネットワークサービスのインターフェースをシミュレートするウェブページである。
【００２９】
第２のユーザが続いて、最初の通信１０８への応答、たとえば、引き続く通信１１０を生成し得る。最初の通信１０８と引き続く通信１１０とは、互いに異なるタイプの通信であり得、複数のパーティおよびデバイスを含む、より大きいスレッド化された会話のストリームの一部であり得るということが理解されるべきである。一実施形態において、最初の通信１０８は、ソーシャルネットワークサービスによる完全なユーザアカウントを活動化し、開き、または確立することを第２のユーザに要求する通信タイプであり得る。たとえば、ビデオチャットまたは会議、音声通話、またはグループチャットが、完全なユーザアカウントを必要とし得る。最初の通信１０８と交互通信１２４はいずれも、タイムスタンピングされ得る。
【００３０】
一実施形態において、第２のユーザが最初の通信１０８のためのウェブページを開く際、ウェブページは、使用されているブラウザおよびデバイスのタイプに応答するであろう。たとえば、モバイルブラウザを使用するモバイルデバイスは、デスクトップコンピュータシステムで実行されるブラウザほどフィーチャーリッチでないコンテンツを用い得る。
【００３１】
デバイス１２０に関連づけられたブラウザが、リンク１２６に関連づけられたＵＲＬを開き得る。そうであれば、このブラウザは、第２のユーザのための事前入力されたユーザアカウントに関連づけられた通信を開くことを可能にされる唯一のブラウザであり得る。第１のブラウザへのこの制限は、悪意あるユーザが事前入力されたユーザアカウントを利用することを防止するように設計されたセキュリティ技術である。このセキュリティ措置は、ブラウザの一意の特性をフィンガープリントすることによって達成され得る。セキュリティ措置はまた、サーバに引き続く認証のためにブラウザに「ｃｏｏｋｉｅ」を付与させることによって、達成され得る。コンピュータシステム１１４またはソーシャルネットワークサービスが、事前入力されたユーザアカウントがハッキングされた、または意図されたユーザ以外の誰かによって使用されている、と決定した場合には、アカウントは無効化され得る。一実施形態では、第２のユーザが、モバイルブラウザを通じてＳＭＳ検証を開始することにより、認証トークンを再要求（re-claim）し得る。
【００３２】
［動作］
図２は、本テクノロジーの一実施形態に係る、連絡先リストと事前入力されたユーザアカウントとを作成するための処理２００を示すフローチャートである。一実施形態において、処理２００は、コンピュータ使用可能な命令およびコンピュータ実行可能な命令の制御下でプロセッサおよび電気コンポーネントにより実行される、コンピュータで実現される方法である。コンピュータ使用可能な命令およびコンピュータ実行可能な命令は、たとえば、コンピュータ使用可能な揮発性メモリおよび不揮発性メモリといったデータストレージ特徴の中に存在し、非一時的であり得る。しかしながら、コンピュータ使用可能な命令およびコンピュータ実行可能な命令は、任意のタイプのコンピュータ使用可能な記憶媒体の中に存在し得る。一実施形態において、処理２００は、図１のコンポーネントによって実行される。
【００３３】
２０２で、第１のユーザに関連づけられた既存の連絡先リストがコンピュータシステムでインポートされる。たとえば、既存の連絡先リスト１１２およびコンピュータシステム１１４が用いられ得る。
【００３４】
２０４で、ソーシャルネットワークサービスに関連づけられたユーザアカウントのための第２の連絡先リストが、第１のユーザのために作成され、第２の連絡先リストは、既存の連絡先リストからのメンバーを備える。たとえば、第２の連絡先リスト１０６が用いられ得る。
【００３５】
２０６で、ソーシャルネットワークサービスによるユーザアカウントをすでに有する既存の連絡先リストのメンバーが第１のカテゴリにフィルタリングされる。
【００３６】
２０８で、ソーシャルネットワークサービスによるユーザアカウントを有しない既存の連絡先リストのメンバーが第２のカテゴリにフィルタリングされる。一実施形態では、連絡先フィルタ１１６がステップ２０６および２０８のために用いられる。
【００３７】
２１０で、ソーシャルネットワークサービスに関連づけられた事前入力されたアカウントが、第２のカテゴリにおけるメンバーのために作成される。一実施形態において、第２のカテゴリのメンバーのための事前入力されたアカウントの作成は、「要求駆動型」で、すなわち、第１のユーザが彼らと対話しようと決めた場合にのみ、生じる。たとえば、対話は、図３のステップ３０４であり得る。この「要求駆動型」の作成は、過度のサーバ負荷を最小化するのに役立つ。
【００３８】
２１２で、第２の連絡先リストが、デバイスで、ソーシャルネットワークサービスに関連づけられたインターフェースを介し、第１のカテゴリと第２のカテゴリとにおけるメンバーを区別することなく、第１のユーザに表示される。インターフェースはインターフェース１０４であり得る。
【００３９】
図３は、本テクノロジーの実施形態に係る、事前入力されたユーザアカウントを使用して通信を送信するための処理３００を示すフローチャートである。一実施形態において、処理３００は、コンピュータ使用可能な命令およびコンピュータ実行可能な命令の制御下でプロセッサおよび電気コンポーネントにより実行される、コンピュータで実現される方法である。コンピュータ使用可能な命令およびコンピュータ実行可能な命令は、たとえば、コンピュータ使用可能な揮発性メモリおよび不揮発性メモリといったデータストレージ特徴の中に存在し、非一時的であり得る。しかしながら、コンピュータ使用可能な命令およびコンピュータ実行可能な命令は、任意のタイプのコンピュータ使用可能な記憶媒体の中に存在し得る。一実施形態において、処理３００は、図１のコンポーネントによって実行される。
【００４０】
３０２で、第２のカテゴリのメンバーである第２のユーザに最初の通信を送信する要求が第１のユーザから受信される。最初の通信は、テキストメッセージ、音声メッセージ、インスタントメッセージ通信、ビデオメッセージ、ギフト、動画、およびビデオチャットであり得る。
【００４１】
３０４で、最初の通信が第２のユーザのための事前入力されたアカウントに関連づけられる。
【００４２】
３０６で、交互通信が第２のユーザに送信され、交互通信は、最初の通信へのリンクを備える。リンクは、リンク１２６であり得る。交互通信は、交互通信１２４であり得、ＳＭＳメッセージ、電子メール、またはその両方であり得る。
【００４３】
３０８で、引き続く通信が第２のユーザからソーシャルネットワークサービスを介し第１のユーザに送信される。引き続く通信は、引き続く通信１１０であり得る。
【００４４】
第２のユーザデバイスまたはユーザが最初の通信にアクセスすると、または引き続く通信を送信すると、続いて第２のユーザが、事前入力されたユーザアカウントに取って代わる完全なユーザアカウントを作成するよう促され得る。招待が承認されると、第２のユーザが続いて、パスワードの作成のようなより多くの情報、または、第２のユーザに関連づけられた既存の連絡先リストへのアクセスを促され得る。第２のユーザはまた、ソーシャルネットワークサービスに関連づけられたアプリまたはソフトウェアをダウンロードするよう促され得る。一実施形態では、第２のユーザが通信にアクセスまたは応答すると、完全なユーザアカウントが自動でシームレスに作成され得る。
【００４５】
図４は、本テクノロジーの実施形態に係る、連絡先リストと事前入力されたユーザアカウントとを作成し、事前入力されたユーザアカウントを使用して通信を送信するための処理４００を示すフローチャートである。一実施形態において、処理４００は、コンピュータ使用可能な命令およびコンピュータ実行可能な命令の制御下でプロセッサおよび電気コンポーネントにより実行される、コンピュータで実現される方法である。コンピュータ使用可能な命令およびコンピュータ実行可能な命令は、たとえば、コンピュータ使用可能な揮発性メモリおよび不揮発性メモリといったデータストレージ特徴の中に存在し、非一時的であり得る。しかしながら、コンピュータ使用可能な命令およびコンピュータ実行可能な命令は、任意のタイプのコンピュータ使用可能な記憶媒体の中に存在し得る。一実施形態において、処理４００は、図１のコンポーネントによって実行される。
【００４６】
４０２で、第１のユーザに関連づけられた既存の連絡先リストがコンピュータシステムでインポートされる。これは、既存の連絡先リスト１１２およびコンピュータシステム１１４であり得る。
【００４７】
４０４で、ソーシャルネットワークサービスに関連づけられた事前入力されたアカウントが、ソーシャルネットワークサービスによるユーザアカウントを有しない既存の連絡先リストのメンバーのために作成される。
【００４８】
４０６で、ソーシャルネットワークサービスに関連づけられたユーザアカウントのための第２の連絡先リストが、第１のユーザのために作成され、第２の連絡先リストは、既存の連絡先リストからのメンバーを備え、第２の連絡先リストは、ソーシャルネットワークサービスに関連づけられたユーザアカウントをすでに有するメンバーと事前入力されたアカウントが作成されたメンバーとを区別することなく、第１のユーザに表示される。第２の連絡先リストは、第２の連絡先リスト１０６であり得る。
【００４９】
４０８で、第２のカテゴリのメンバーである第２のユーザへの最初の通信の送信が第１のユーザから要求される。これは、最初の通信１０８であり得る。
【００５０】
４１０で、最初の通信が第２のユーザのための事前入力されたアカウントに関連づけられる。
【００５１】
４１２で、交互通信が第２のユーザに送信され、交互通信は、最初の通信へのリンクを備える。これは、交互通信１２４およびリンク１２６であり得る。
【００５２】
さまざまな実施形態が、かくして説明される。特定の実施形態が説明されている一方で、実施形態が、そのような説明によって限定されるものと解釈されるべきでなく、むしろ以下の請求項にしたがって解釈されるべきであることが理解されるべきである。
【００５３】
［例示的なコンピュータシステム環境］
本テクノロジーの一部は、たとえば、コンピュータシステムまたは混合媒体通信のために使用されるスマートフォンなどの他のユーザデバイスのコンピュータ使用可能媒体の中に存在する、コンピュータ可読命令およびコンピュータ実行可能命令で構成される。本テクノロジーの態様のためにまたは本テクノロジーの態様とともに使用され得る例示的なコンピュータシステムまたはコンポーネントが以下に説明される。
【００５４】
本テクノロジーは、汎用ネットワークコンピュータシステム、組み込み型コンピュータシステム、クラウドベースコンピュータ、ルータ、スイッチ、サーバデバイス、ユーザデバイス、さまざまな中間デバイス／人工物、スタンドアロンコンピュータシステム、携帯電話、携帯情報端末、テレビ、等を含む複数の異なるコンピュータシステム上またはコンピュータシステム内で動作し得るということが理解される。コンピュータシステムは、それに結合された、たとえば、フロッピー（登録商標）ディスク、コンパクトディスク、等といった、周辺コンピュータ可読媒体を有するよう、よく適合する。
【００５５】
コンピュータシステムは、情報を通信するためのアドレス／データバスと、情報および命令を処理するためにバスに結合されたプロセッサとを含む。コンピュータシステムはまた、マルチプロセッサまたはシングルプロセッサ環境にもよく適しており、また、プロセッサ（単数または複数）のための情報および命令を記憶するためにバスに結合された、コンピュータ使用可能な揮発性メモリ、たとえば、ランダムアクセスメモリ（ＲＡＭ）などのデータストレージ特徴を含む。
【００５６】
コンピュータシステムはまた、コンピュータ使用可能な不揮発性メモリ、たとえば、読み取り専用メモリ（ＲＯＭ）、ならびに、英数字入力デバイス、マウス、または一般的に使用される他の入力デバイスといった、入力デバイスを含み得る。コンピュータシステムはまた、ディスプレイ、たとえば、液晶デバイス、陰極線管、プラズマディスプレイ、および、他の出力コンポーネント、たとえば、プリンタまたは他の一般的な出力デバイスを含み得る。
【００５７】
コンピュータシステムはまた、他の電子デバイスおよびコンピュータシステムとインターフェース接続することをシステムに可能にさせるためにバスと結合された、１つ以上の信号生成および受信デバイス（単数または複数）を含み得る。本実施形態の信号生成および受信デバイス（単数または複数）は、有線シリアルアダプタ、モデム、およびネットワークアダプタ、ワイヤレスモデム、およびワイヤレスネットワークアダプタ、および他のそのような通信テクノロジーを含み得る。信号生成および受信デバイス（単数または複数）は、コンピュータシステムへのおよび／またはコンピュータシステムからの情報を結合するための１つ以上の通信インターフェース（単数または複数）とともに機能し得る。通信インターフェースは、シリアルポート、パラレルポート、ユニバーサルシリアルバス（ＵＳＢ）、イーサネット（登録商標）ポート、アンテナ、または他の入力／出力インターフェースを含み得る。通信インターフェースは、コンピュータシステムを、別のデバイス、たとえば、セルラー式携帯電話、無線、ハンドヘルドデバイス、スマートフォン、またはコンピュータシステムと、物理的に、電気的に、光学的に、またはワイヤレスで（たとえば、無線周波数を介して）、結合し得る。
【００５８】
主題は構造的特徴および／または方法的行為に固有の表現で説明されるが、添付の請求項において定義される主題が必ずしも上述された特定の特徴または行為に限定されないことが理解されるべきである。むしろ、上述された特定の特徴および行為は、請求項を実現する例示的な形態として開示されている。処理２００、３００、および４００が各々の処理のステップのいくつかまたは一部を利用してさまざまな手法で組み合わせられ得ることが理解されるべきである。
【００５９】
本明細書において説明されたすべての要素、パーツ、およびステップが、好ましくは含まれる。当業者にとって明らかであるように、これらの要素、パーツ、およびステップのいずれかが、他の要素、パーツ、およびステップによって置き換えられ得ること、または、共に削除され得ることが理解されるべきである。
【００６０】
当業者は、この説明において言及された方法ステップが、プロセッサと、少なくともキーボード、マウス、スキャナ、カメラを備える入力デバイスと、少なくともモニタ、プリンタを備える出力デバイスとを含むが、これに限定されないハードウェアによって実行され得ることを理解するであろう。方法ステップは、必要に応じ適切なデバイスによって実行される。たとえば、決定ステップは、プロセッサにおける意思決定ユニットにより、決定アルゴリズムを実施することによって実行され得る。当業者は、この意思決定ユニットが、上述された決定アルゴリズムを実行する際、たとえば、コンピュータのプロセッサの中に、物理的にまたは実際に存在し得ることを理解するであろう。上記分析は、本明細書において説明された他のステップに適用される。
【００６１】
［概念］
この説明はまた、少なくとも以下の概念を提示する。
概念１．  連絡先リストと事前入力されたユーザアカウントとを作成するための方法であって、
コンピュータシステムで、第１のユーザに関連づけられた既存の連絡先リストをインポートすることと、
上記コンピュータシステムで、上記第１のユーザのために、ソーシャルネットワークサービスに関連づけられたユーザアカウントのための第２の連絡先リストを作成することであって、上記第２の連絡先リストは、上記既存の連絡先リストからのメンバーを備える、作成することと、
上記コンピュータシステムで、上記ソーシャルネットワークサービスによるユーザアカウントをすでに有する上記既存の連絡先リストのメンバーを第１のカテゴリにフィルタリングすることと、
上記コンピュータシステムで、上記ソーシャルネットワークサービスによるユーザアカウントを有しない上記既存の連絡先リストのメンバーを第２のカテゴリにフィルタリングすることと、
上記コンピュータシステムで、上記第２のカテゴリにおける上記メンバーのために、上記ソーシャルネットワークサービスに関連づけられた事前入力されたユーザアカウントを作成することと
を備える、方法。
概念２．  デバイスで、上記ソーシャルネットワークサービスに関連づけられたインターフェースを介し、上記第１のカテゴリと上記第２のカテゴリとにおける上記メンバーを区別することなく、上記第１のユーザに上記第２の連絡先リストを表示することをさらに備える、概念１に記載の方法。
概念３．  上記第２のカテゴリのメンバーである第２のユーザに最初の通信を送信する要求を上記第１のユーザから受信することと、
上記最初の通信を上記第２のユーザのための事前入力されたユーザアカウントに関連づけることと、
上記第２のユーザに交互通信を送信することであって、上記交互通信は、上記最初の通信へのリンクを備える、送信することと
をさらに備える、概念１に記載の方法。
概念４．  上記最初の通信への上記リンクが選択されると、上記リンクは、上記ソーシャルネットワークサービスに関連づけられたインターフェースと通信手段とを介して上記第２のユーザに上記通信を受け渡す、概念３に記載の方法。
概念５．  上記第２のユーザによって生成された応答が、上記第２のユーザのための上記事前入力されたユーザアカウントに関連づけられ、上記ソーシャルネットワークサービスを介して上記第１のユーザに送信される、概念３に記載の方法。
概念６．  上記交互通信は電子メールである、概念３に記載の方法。
概念７．  上記交互通信はテキストメッセージである、概念３に記載の方法。
概念８．  上記最初の通信は、テキストメッセージ、音声メッセージ、インスタントメッセージ通信、ビデオメッセージ、ギフト、動画、およびビデオチャットからなる通信のグループから選択される、概念３に記載の方法。
概念９．  上記リンクにアクセスするための第１のブラウザが、上記第２のユーザのための上記事前入力されたユーザアカウントに関連づけられ、上記第１のブラウザのみが、セキュリティ目的のために上記第２のユーザに関連する引き続く通信にアクセスすることを可能にされる、概念３に記載の方法。
概念１０．  上記第２の連絡先リストは、上記既存の連絡先リストからのすべてのメンバーを備える、概念１、２、または３に記載の方法。
概念１１．  上記第２の連絡先リストは、上記第１のカテゴリのメンバーと、上記ソーシャルネットワークサービスにすでに関連づけられている２人以上のユーザに関連づけられた上記第２のカテゴリのメンバーとを備える、概念１、２、または３に記載の方法。
概念１２．  上記第２の連絡先リストは、上記第１のユーザが所定の数のＳＭＳメッセージを送信した上記第２のカテゴリのメンバーを備える、概念１、２、または３に記載の方法。
概念１３．  上記第２の連絡先リストは、上記第１のカテゴリのメンバーと、上記第２の連絡先リストのための最大連絡先数に制限された上記第２のカテゴリのメンバーとを備える、概念１、２、または３に記載の方法。
概念１４．  組み入れられた命令を有するコンピュータ使用可能な記憶媒体であって、上記命令は、実行された場合、コンピュータシステムに連絡先リストと事前入力されたユーザアカウントとを作成するための方法を実行させ、上記方法は、
コンピュータシステムで、第１のユーザに関連づけられた既存の連絡先リストをインポートすることと、
上記コンピュータシステムで、上記第１のユーザのために、ソーシャルネットワークサービスに関連づけられたユーザアカウントのための第２の連絡先リストを作成することであって、上記第２の連絡先リストは、上記既存の連絡先リストからのメンバーを備える、作成することと、
上記コンピュータシステムで、上記ソーシャルネットワークサービスによるユーザアカウントをすでに有する上記既存の連絡先リストのメンバーを第１のカテゴリにフィルタリングすることと、
上記コンピュータシステムで、上記ソーシャルネットワークサービスによるユーザアカウントを有しない上記既存の連絡先リストのメンバーを第２のカテゴリにフィルタリングすることと、
上記コンピュータシステムで、上記第２のカテゴリにおける上記メンバーのために、上記ソーシャルネットワークサービスに関連づけられた事前入力されたユーザアカウントを作成することと
を備える、コンピュータ使用可能な記憶媒体。
概念１５．  デバイスで、上記ソーシャルネットワークサービスに関連づけられたインターフェースを介し、上記第１のカテゴリと上記第２のカテゴリとにおける上記メンバーを区別することなく、上記第１のユーザに上記第２の連絡先リストを表示することをさらに備える、概念１４に記載のコンピュータ使用可能な記憶媒体。
概念１６．  上記第２のカテゴリのメンバーである第２のユーザに最初の通信を送信する要求を上記第１のユーザから受信することと、
上記最初の通信を上記第２のユーザのための事前入力されたユーザアカウントに関連づけることと、
上記第２のユーザに交互通信を送信することであって、上記交互通信は、上記最初の通信へのリンクを備える、送信することと
をさらに備える、概念１４に記載のコンピュータ使用可能な記憶媒体。
概念１７．  上記最初の通信への上記リンクが選択されると、上記リンクは、上記ソーシャルネットワークサービスに関連づけられたインターフェースと通信手段とを介して上記第２のユーザに上記通信を受け渡す、概念１６に記載のコンピュータ使用可能な記憶媒体。
概念１８．  上記第２のユーザによって生成された応答が、上記第２のユーザのための上記事前入力されたユーザアカウントに関連づけられ、上記ソーシャルネットワークサービスを介して上記第１のユーザに送信される、概念１６に記載のコンピュータ使用可能な記憶媒体。
概念１９．  上記交互通信は電子メールである、概念１６に記載のコンピュータ使用可能な記憶媒体。
概念２０．  上記交互通信はテキストメッセージである、概念１６に記載のコンピュータ使用可能な記憶媒体。
概念２１．  上記最初の通信は、テキストメッセージ、音声メッセージ、インスタントメッセージ通信、ビデオメッセージ、ギフト、動画、およびビデオチャットからなる通信のグループから選択される、概念１６に記載のコンピュータ使用可能な記憶媒体。
概念２２．  上記リンクにアクセスするための第１のブラウザが、上記第２のユーザのための上記事前入力されたユーザアカウントに関連づけられ、上記第１のブラウザのみが、セキュリティ目的のために上記第２のユーザに関連する引き続く通信にアクセスすることを可能にされる、概念１６に記載のコンピュータ使用可能な記憶媒体。
概念２３．  上記第２の連絡先リストは、上記既存の連絡先リストからのすべてのメンバーを備える、概念１４、１５、または１６に記載のコンピュータ使用可能な記憶媒体。
概念２４．  上記第２の連絡先リストは、上記第１のカテゴリのメンバーと、上記ソーシャルネットワークサービスにすでに関連づけられている２人以上のユーザに関連づけられた上記第２のカテゴリのメンバーとを備える、概念１４、１５、または１６に記載のコンピュータ使用可能な記憶媒体。
概念２５．  上記第２の連絡先リストは、上記第１のユーザが所定の数のＳＭＳメッセージを送信した上記第２のカテゴリのメンバーを備える、概念１４、１５、または１６に記載のコンピュータ使用可能な記憶媒体。
概念２６．  上記第２の連絡先リストは、上記第１のカテゴリのメンバーと、上記第２の連絡先リストのための最大連絡先数に制限された上記第２のカテゴリのメンバーとを備える、概念１４、１５、または１６に記載のコンピュータ使用可能な記憶媒体。
概念２７．  連絡先リストと事前入力されたユーザアカウントとを作成するための方法であって、
コンピュータシステムで、第１のユーザに関連づけられた既存の連絡先リストをインポートすることと、
上記コンピュータシステムで、ソーシャルネットワークサービスによるユーザアカウントを有しない上記既存の連絡先リストのメンバーのために、上記ソーシャルネットワークサービスに関連づけられた事前入力されたユーザアカウントを作成することと、
上記コンピュータシステムで、上記第１のユーザのために、上記ソーシャルネットワークサービスに関連づけられたユーザアカウントのための第２の連絡先リストを作成することであって、上記第２の連絡先リストは、上記既存の連絡先リストからのメンバーを備え、上記第２の連絡先リストは、上記ソーシャルネットワークサービスに関連づけられたユーザアカウントをすでに有するメンバーと事前入力されたユーザアカウントが作成されたメンバーとを区別することなく、上記第１のユーザに表示される、作成することと、
上記第２の連絡先リストのメンバーである第２のユーザに最初の通信を送信する要求を上記第１のユーザから受信することと、
上記最初の通信を上記第２のユーザのための事前入力されたユーザアカウントに関連づけることと、
上記第２のユーザに交互通信を送信することであって、上記交互通信は、上記最初の通信へのリンクを備える、送信することと
を備える、方法。
【図１】
2016532964.tif 000003
【図２】
2016532964.tif 000004
【図３】
2016532964.tif 000005
【図４】
2016532964.tif 000006
【国際調査報告】
2016532964.tif 000007
2016532964.tif 000008